(57)【要約】【課題】複数の情報記憶媒体を収容でき、情報記憶媒体の管理が容易であり、また、コスト削減することができる記憶媒体収納ボックス及び記憶媒体収納システムを提供する。【解決手段】ボックス本体１００に、映写フィルム、ＬＴＯ、ＣＭＴを収納するための係合凸部１１０と、ＣＤ又はＤＶＤを収納するためのＣＤ載置リブ１２０とを設け、各情報記憶媒体を蓋体２００の裏面２０３で挟み込むように収納し、さらに、蓋体２００の表面２０２に、書き替え可能なＩＣタグを着脱可能に装着するＩＣタグ取り付け部２２０を設ける。【選択図】図１
2008001413.tif 000002
【特許請求の範囲】
【請求項１】
異なる形状の複数の情報記憶媒体を収納する記憶媒体収納ボックスであって、
前記各情報記憶媒体が、所定方向に移動しないように規制する規制部と、
を備える記憶媒体収納ボックス。
【請求項２】
請求項１に記載の記憶媒体収納ボックスにおいて、
前記各情報記憶媒体が、厚み方向に移動しないように規制する厚み方向規制部と、
前記各情報記憶媒体が、前記厚み方向に垂直な平面内を移動しないように規制する平面規制部と、
を備える記憶媒体収納ボックス。
【請求項３】
請求項２に記載の記憶媒体収納ボックスにおいて、
ボックス本体と、前記ボックス本体を開閉する蓋体とを備え、
前記厚み方向規制部は、
前記ボックス本体に設けられ、前記各情報記憶媒体が、前記厚み方向のうちの１方向である第１方向に移動しないように規制する第１規制部と、
前記蓋体に設けられ、前記各情報記憶媒体が、前記厚み方向のうち前記第１方向とは異なる方向である第２方向に移動しないように規制する第２規制部とを備えること、
を特徴とする記憶媒体収納ボックス。
【請求項４】
請求項２又は請求項３に記載の記憶媒体収納ボックスにおいて、
前記平面規制部は、前記各情報記憶媒体に係合するように設けられた平面係合部を備えること、
を特徴とする記憶媒体収納ボックス。
【請求項５】
請求項４に記載の記憶媒体収納ボックスにおいて、
前記厚み方向規制部の規制厚みが小さくなる程、前記平面係合部が前記ボックス本体の開口側に配置されること、
を特徴とする記憶媒体収納ボックス。
【請求項６】
請求項１から請求項５までのいずれか１項に記載の記憶媒体収納ボックスにおいて、
前記複数の情報記憶媒体は、映写フィルム、ＬＴＯ、ＣＭＴ、ＣＤ、ＤＶＤのうち少なくとも１つを含むこと、
を特徴とする記憶媒体収納ボックス。
【請求項７】
請求項１から請求項６までのいずれか１項に記載の記憶媒体収納ボックスにおいて、
前記ボックス本体の側面に設けられた凸部と、前記蓋体に設けられ、前記凸部と係合をする凹部又は孔部とから形成され、前記ボックス本体の前記側面を押圧することにより、前記係合を解除可能な保持部を備えること、
を特徴とする記憶媒体収納ボックス。
【請求項８】
請求項１から請求項７までのいずれか１項に記載の記憶媒体収納ボックスにおいて、
前記情報記憶媒体の内容に対応した情報を記憶するＩＣタグを、着脱可能に取り付け可能なＩＣタグ取り付け部を備えること、
を特徴とする記憶媒体収納ボックス。
【請求項９】
請求項８に記載の記憶媒体収納ボックスにおいて、
前記ＩＣタグは、表面に、加熱により書き替え可能な感熱記録部を備えること、
を特徴とする記憶媒体収納ボックス。
【請求項１０】
請求項８又は請求項９に記載の記憶媒体収納ボックスにおいて、
前記ＩＣタグ取り付け部は、この収納ボックスの表面に設けられ、前記ＩＣタグの少なくとも１組の対角部を保持すること、
を特徴とする記憶媒体収納ボックス。
【請求項１１】
請求項８から請求項１０までのいずれか１項に記載の記憶媒体収納ボックスにおいて、
この収納ボックスの表面を窪ませて設けられ、前記ＩＣタグと前記表面との間に隙間を設けるＩＣタグ取り外し溝を有すること、
を特徴とする記憶媒体収納ボックス。
【請求項１２】
請求項８から請求項１１までのいずれか１項に記載の記憶媒体収納ボックスにおいて、
この収納ボックスの表面及び／又は底面から突出するように設けられ、他の収納ボックスが重ねられた状態において、前記ＩＣタグと重ねられた収納ボックスとの間に隙間を設けるＩＣタグ保護部を備えること、
を特徴とする記憶媒体収納ボックス。
【請求項１３】
請求項１から請求項１２までのいずれか１項に記載の記憶媒体収納ボックスと、
請求項８から請求項１２までのいずれか１項に記載のＩＣタグ取り付け部に取り付けられたＩＣタグと、
を備える記憶媒体収納システム。
【発明の詳細な説明】
【技術分野】
【０００１】
本発明は、情報記憶媒体を収納する記憶媒体収納ボックス及び記憶媒体収納システムに関するものである。
【背景技術】
【０００２】
従来から、映画の予告編、情報量の多いデータは、ＣＤ、ＣＭＴ等のような情報記憶媒体に記憶され、専用の収納ボックス、ケース等（例えば、特許文献１）に収納され受け渡しがされてきた。
しかし、近年では、情報記憶媒体は、種類が多岐にわたり、受け渡し時の形態により、情報媒体の種類が異なる。このため、収納ボックス等は、情報記憶媒体の種類毎に用意すると、種類が増加するために、管理が煩雑となり、また、コスト面でも好ましくないという問題があった。
【特許文献１】特開２０００−２１１６８６号公報
【発明の開示】
【発明が解決しようとする課題】
【０００３】
本発明の課題は、複数の情報記憶媒体を収容でき、情報記憶媒体の管理が容易であり、また、コスト削減することができる記憶媒体収納ボックス及び記憶媒体収納システムを提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、異なる形状の複数の情報記憶媒体（２１〜２４）を収納する記憶媒体収納ボックスであって、前記各情報記憶媒体（２１〜２４）が、所定方向（Ｘ，Ｙ，Ｚ）に移動しないように規制する規制部（１１０，１２０，２０３）と、を備える記憶媒体収納ボックスである。
請求項２の発明は、請求項１に記載の記憶媒体収納ボックスにおいて、前記各情報記憶媒体（２１〜２４）が、厚み方向（Ｚ）に移動しないように規制する厚み方向規制部（１２０，２０３）と、前記各情報記憶媒体（２１〜２４）が、前記厚み方向（Ｚ）に垂直な平面（ＸＹ平面）内を移動しないように規制する平面規制部（１１０）と、を備える記憶媒体収納ボックスである。
請求項３の発明は、請求項２に記載の記憶媒体収納ボックスにおいて、ボックス本体（１００）と、前記ボックス本体（１００）を開閉する蓋体（２００）とを備え、前記ボックス本体（１００）に設けられ、前記各情報記憶媒体（２１〜２４）が、前記厚み方向（Ｚ）のうちの１方向である第１方向（Ｚ）に移動しないように規制する第１規制部（１１０，１２０）と、前記蓋体（２００）に設けられ、前記各情報記憶媒体（２１〜２４）が、前記厚み方向（Ｚ）のうち前記第１方向（Ｚ１）とは異なる方向である第２方向（Ｚ２）に移動しないように規制する第２規制部（２０３）とを備えること、を特徴とする記憶媒体収納ボックスである。
請求項４の発明は、請求項２又は請求項３に記載の記憶媒体収納ボックスにおいて、前記平面規制部（１１０，１２０）は、前記各情報記憶媒体（２１〜２４）に係合するように設けられた平面係合部（１１ｃ，１１２ｃ，１１３ｃ，１２１ｂ）を備えること、を特徴とする記憶媒体収納ボックスである。
請求項５の発明は、請求項４に記載の記憶媒体収納ボックスにおいて、前記厚み方向規制部（２０３）の規制厚み（Ｄ７〜Ｄ９）が小さくなる程、前記平面係合部（１１ｃ，１１２ｃ，１１３ｃ，１２１ｂ）が前記ボックス本体（１００）の開口側（Ｚ２）に配置されること、を特徴とする記憶媒体収納ボックスである。
請求項６の発明は、請求項１から請求項５までのいずれか１項に記載の記憶媒体収納ボックスにおいて、前記複数の情報記憶媒体（２１〜２４）は、映写フィルム（２１）、ＬＴＯ（２２）、ＣＭＴ（２３）、ＣＤ（２４）、ＤＶＤのうち少なくとも１つを含むこと、を特徴とする記憶媒体収納ボックスである。
請求項７の発明は、請求項１から請求項６までのいずれか１項に記載の記憶媒体収納ボックスにおいて、前記ボックス本体（１００）の側面（１０３）に設けられた凸部（１３０）と、前記蓋体（２００）に設けられ、前記凸部（１３０）と係合をする凹部（２１１）又は孔部とから形成され、前記ボックス本体（１００）の前記側面（１０３）を押圧することにより、前記係合を解除可能な保持部（１３０，２１１）を備えること、を特徴とする記憶媒体収納ボックスである。
請求項８の発明は、請求項１から請求項７までのいずれか１項に記載の記憶媒体収納ボックスにおいて、前記情報記憶媒体（２１〜２４）の内容に対応した情報を記憶するＩＣタグ（１０）を、着脱可能に取り付け可能なＩＣタグ取り付け部（２２０）を備えること、を特徴とする記憶媒体収納ボックスである。
請求項９の発明は、請求項８に記載の記憶媒体収納ボックスにおいて、前記ＩＣタグ（１０）は、表面に、加熱により書き替え可能な感熱記録部を備えること、を特徴とする記憶媒体収納ボックスである。
請求項１０の発明は、請求項８又は請求項９に記載の記憶媒体収納ボックスにおいて、前記ＩＣタグ取り付け部（２２０）は、この収納ボックスの表面（２０２）に設けられ、前記ＩＣタグ（１０）の少なくとも１組の対角部（１１Ａ，１１Ｃ或いは１１Ｂ，１１Ｄ）を保持すること、を特徴とする記憶媒体収納ボックスである。
請求項１１の発明は、請求項８から請求項１０までのいずれか１項に記載の記憶媒体収納ボックスにおいて、この収納ボックスの表面（２０２）を窪ませて設けられ、前記ＩＣタグ（１０）と前記表面（２０２）との間に隙間（Ｄ１）を設けるＩＣタグ取り外し溝（２３０）を有すること、を特徴とする記憶媒体収納ボックスである。
請求項１２の発明は、請求項８から請求項１１までのいずれか１項に記載の記憶媒体収納ボックスにおいて、この収納ボックスの表面（２３０）及び／又は底面（１０４）から突出するように設けられ、他の収納ボックス（１Ｂ）が重ねられた状態において、前記ＩＣタグ（１０）と重ねられた収納ボックス（１Ｂ）との間に隙間（Ｄ６）を設けるＩＣタグ保護部（２４０）を備えること、を特徴とする記憶媒体収納ボックスである。
【０００５】
請求項１３の発明は、請求項１から請求項１２までのいずれか１項に記載の記憶媒体収納ボックス（１）と、請求項８から請求項１２までのいずれか１項に記載のＩＣタグ取り付け部（２２０）に取り付けられたＩＣタグ（１０）と、を備える記憶媒体収納システムである。
【発明の効果】
【０００６】
本発明によれば、以下の効果を奏することができる。
（１）本発明は、形状の異なる複数の情報記憶媒体が、所定方向に移動しないように規制する規制部を備えるので、各情報記憶媒体を収納可能な収納ボックスを提供することができる。また、各情報記憶媒体を統一した収納ボックスに収容することにより、整理して保管することができ、管理が容易である。さらに、複数の種類の収納ボックスを用意する必要がないので、コスト削減をすることができる。
【０００７】
（２）本発明は、厚み方向規制部と平面規制部とが、情報記憶媒体の厚み方向及び平面内の移動を規制するので、収容した情報記憶媒体を保護し、例えば、情報記憶媒体の輸送時等における破損等を防止することができる。
【０００８】
（３）本発明は、ボックス本体の第１規制部と、蓋体の第２規制部とを備えるので、蓋体を閉じたときに、情報記憶媒体を厚み方向から挟みこむように保持することができる。
【０００９】
（４）本発明は、平面規制部が各情報記憶媒体に係合するように設けられた平面係合部を備えるので、情報記憶媒体を、平面内で移動しないように保持することができる。
【００１０】
（５）本発明は、規制部は、厚み方向規制部の規制厚みが小さくなる程、平面係合部がボックス本体の開口側に配置されるので、厚みが薄くなるに応じて平面形状が大きくなる複数の情報記憶媒体を収容することができる。
【００１１】
（６）本発明は、情報記憶媒体が映像フィルム、ＬＴＯ、ＣＭＴ、ＣＤ、ＤＶＤのうち少なくとも１つあるので、これらの情報記憶媒体の少なくも１つを収納することができる。
【００１２】
（７）本発明は、ボックス本体の凸部と、蓋体の凹部又は孔部とが係合をし、また、ボックス本体の側面を押圧することにより、この係合を解除可能であるので、蓋体の保持及びその解除を容易に行うことができる。
【００１３】
（８）本発明は、ＩＣタグを着脱可能に取り付け可能なＩＣタグ取り付け部を備えるので、収納した情報記憶媒体の管理を容易に行うことができる。
【００１４】
（９）本発明は、ＩＣタグが感熱記録部を備えるので、収納した情報記憶媒体の内容を記録することにより、蓋体を開けることなく情報記憶媒体を確認することができる。
【００１５】
（１０）本発明は、ＩＣタグ取り付け部がＩＣタグの少なくとも１組の対角部を保持するので、シンプルな構造で、ＩＣタグの着脱を行うことができる。
【００１６】
（１１）本発明は、ＩＣタグとこの収納ボックスの表面との間に隙間を設けるＩＣタグ取り外し溝を有するので、作業者は、この隙間に指、爪等を入れることにより、ＩＣタグの取り外しを容易に行うことができ、作業性を向上することができる。
【００１７】
（１２）本発明は、ＩＣタグ保護部を備えるので、保管時、輸送時等におけるＩＣタグの破損等を、防止することができる。
【発明を実施するための最良の形態】
【００１８】
本発明は、複数の情報記憶媒体を収容でき、情報記憶媒体の管理が容易であり、また、コスト削減することができる記憶媒体収納ボックス及び記憶媒体収納システムを提供するという目的を、ボックス本体に、映写フィルム、ＬＴＯ、ＣＭＴを収納するための係合凸部と、ＣＤ又はＤＶＤを収納するためのＣＤ載置リブとを設け、各情報記憶媒体を蓋体の裏面で挟み込むように収納し、さらに、蓋体の表面に、書き替え可能なＩＣタグを着脱可能に装着するＩＣタグ取り付け部を設けることによって実現した。
【実施例】
【００１９】
以下、図面等を参照して、本発明の記憶媒体収納ボックスの実施例をあげて、さらに詳しく説明する。
図１〜図８は、本実施例の記憶媒体収納ボックス１を示す図である。図１は平面図、図２は底面図、図３（ａ）は背面図、図３（ｂ）は正面からの断面図（図１に示すIII−III部矢視断面図）、図４（ａ）は右側面図、図４（ｂ）は左側面図、図５は係合凸部１１０及びＣＤ載置リブ１２０を拡大して示す斜視図、図６（ａ）は蓋体２００を閉じた状態の左側面図、図６（ｂ）はＩＣタグ取り外し溝２３０部の断面図、図６（ｃ）は記憶媒体収納ボックスを重ねた状態の一部断面図、図７（ａ）は蓋体２００を閉じた状態の正面からの断面図、図７（ｂ）は蓋体２００を閉じる状態の正面からの一部断面図、図８はＩＣタグ取りつけ部２２０を拡大して示す斜視図である。
【００２０】
図１、図３に示すように、記憶媒体収納ボックス１は、ボックス本体１００と蓋体２００とが一体成形された容器であり、ボックス本体１００と蓋体２００とは、ヒンジ１５０により連結されている。記憶媒体収納ボックス１は、例えば、繰り返しの折り曲げに強い樹脂（ポリプロピレン等）等の材料から形成され、ヒンジ１５０を中心として、蓋体２００を回転することにより（図３、図７に示す回転方向θ１，θ２参照）、ボックス本体１００の開口部を開閉することができる。
【００２１】
ボックス本体１００は、箱状の部分であり、４つの係合凸部１１０（１１０Ａ〜１１０Ｄ）と、８つのＣＤ載置リブ１２０と、ロック用凸部１３０と、４つの足１４０とを有している。
係合凸部１１０は、図１に示すように、ボックス本体１００の内側底部１０１の４隅付近に設けられた平面形状が略三角形の凸部である。係合凸部１１０Ａ，１１０Ｃは、ボックス本体１００の中心Ｃに対して点対称であり、係合凸部１１０Ａ，１１０Ｂは、ボックス本体１００の図中左右方向（矢印Ｘ方向）の中心線ＣＬ（Ｘ）に対して線対称であり、係合凸部１１０Ａ，１１０Ｄは、ボックス本体１００の図中上下方向（矢印Ｙ方向）の中心線ＣＬ（Ｙ）に対して線対称である。
係合凸部１１０は、図３に示すように、大きさの異なる情報記憶媒体（映写フィルム、ＬＴＯ（Ｌｉｎｅａｒ  Ｔａｐｅ−Ｏｐｅｎ）、ＣＭＴ（１／２  Ｉｎｃｈ  Ｃａｒｔｒｉｄｇｅ  Ｍａｇｎｅｔｉｃ  Ｔａｐｅ））を収納するために、３つの段部１１１〜１１３を有している。後述するように、各情報記憶媒体は、その厚さ方向が、ボックス本体１００の高さ方向（矢印Ｚ方向）になるように収納される。
【００２２】
段部１１１は、図５に示すように、映写フィルム（外形φ１２５ｍｍ、ｔ（厚さ）３５ｍｍ）を収納するための段部であり、ボックス本体１００の内側底面１１１ａと、係合凸部の内側側面１１１ｂと、内側側面１１１ｂから内側に突出するように設けられた２つのリブ１１１ｃとからなる部分である。
【００２３】
段部１１２は、ＬＴＯ（Ｗ（幅）１０５．４ｍｍ、Ｄ（奥行き）１０２ｍｍ、ｔ２１．５ｍｍ）を収納するための段部であり、係合凸部１１０の一部を切り欠いて形成される。段部１１２は、この切り欠きの天面１１２ａと、内側側面１１２ｂと、内側側面１１２ｂから内側に突出するように設けられた２つのリブ１１２ｃとからなる部分である。ＬＴＯは、幅方向が図１の左右方向に、奥行き方向が上下方向になるように収納される。
【００２４】
段部１１３は、ＣＭＴ（Ｗ１２５ｍｍ、Ｄ１０９ｍｍ、ｔ２５ｍｍ）を収納するための段部であり、係合凸部１１０の天面１１３ａと、天面１１３ａから突出するように設けられた２つのリブ１１３ｂと、リブ１１３ｂからさらに内側に突出するように設けられた２つのリブ１１３ｃとからなる部分である。
【００２５】
ＣＤ載置リブ１２０は、図１に示すように、ボックス本体１００の図中上下の内側側面１０２Ａ，１０２Ｂの係合凸部１１０付近に２個ずつ配置され、この内側側面１０２Ａ，１０２Ｂから内側に突出するように設けられている。ＣＤ載置リブ１２０は、図５に示すように、専用ケース（大ケース：Ｗ１４２ｍｍ、Ｄ１２４ｍｍ、ｔ１０ｍｍ、小ケース：Ｗ１４２ｍｍ、Ｄ１２４ｍｍ、ｔ５ｍｍ）に収容されたＣＤ又はＤＶＤ（外形φ１２０ｍｍ、ｔ１．２ｍｍ）を収納するために、その一部を切り欠いて形成された段部１２１を有している。段部１２１は、この切り欠きの天面１２１ａと、内側側面１２１ｂとからなる部分である。なお、以下、ＣＤ又はＤＶＤとは、この専用ケースに入れられた状態をいうこととし、また、同様の専用ケースを用いるため、以下、ＣＤについてのみについて説明する。
【００２６】
ロック用凸部１３０は、図１、図３（ｂ）、図４（ｂ）に示すように、蓋体２００を閉じた状態で保持するための部分であり、ボックス本体１００のヒンジ１５０に対向する側壁の外側側面１０３から突出するように設けられている。
足１４０は、図２、図３に示すように、記憶媒体収納ボックス１が机等に置かれた場合に、記憶媒体収納ボックス１を支持するために、底面１０４から突出するように設けられた平面形状がＬ字形のリブであり、ボックス本体１００の底面１０４の４隅付近に配置されている。
【００２７】
蓋体２００は、ベロ２１０と、ロック用孔２１１と、４つＩＣタグ取り付け部２２０と、２つのＩＣタグ取り外し溝２３０と、４つのＩＣタグ保護リブ２４０（ＩＣタグ保護部）とを有している。
ベロ２１０は、図１、図３（ｂ）、図４（ｂ）に示すように、蓋体２００を閉じる場合に、ボックス本体１００のロック用凸部１３０に、ロック用孔２１１が入りやすくするための部分であり、蓋体２００のヒンジ１５０の対向する側壁２０１に設けられている。ベロ２１０は、先端に至る程、外側に反っており、図７（ｂ）に示すように、蓋体２００を閉じるときに、その内側側面２１０ａがロック用凸部１３０に乗り上げ、外側に撓む（矢印θ３参照）。これにより、蓋体２００は、円滑に閉じることができる。
【００２８】
ロック用孔２１１は、ロック用凸部１３０と係合することにより、蓋体２００を閉じた状態で保持するために、ベロ２１０に設けられた貫通孔である。図７（ｂ）に示すように、ベロ２１０がロック用凸部１３０に乗り上げた状態で、蓋体２００をさらに回転方向θ１に回転させることにより、図７（ａ）に示すように、ロック用孔２１１とロック用凸部１３０とが係合する。ロック用孔２１１とロック用凸部１３０とは、係合することにより、蓋体２００を閉じた状態で保持する保持部である。なお、記憶媒体収納ボックス１は、ロック用孔２１１の代わりに、ロック用凸部１３０と係合する凹部を有していてもよい。
ロック用孔２１１とロック用凸部１３０とからなる保持部を解除するときは、ボックス本体１００の外側側面１０３を押圧して側壁を内側に撓ませ（矢印Ａ参照）、ロック用凸部１３０を内側に移動させ、ロック用凸部１３０とロック用孔２１１との係合を解除する。
以上のように、記憶媒体収納ボックス１は、蓋体２００の保持及びその解除を容易に行うことができる。
【００２９】
ＩＣタグ取り付け部２２０は、図２に示すように、蓋体２００の天面２０２に設けられ、ＩＣタグ１０（ＩＣタグ１０の外形を２点鎖線で示す。）を着脱可能に保持するための部分である。ＩＣタグ取り付け部２２０は、ＩＣタグ１０の４つの頂点１１（１１Ａ〜１１Ｄ）をそれぞれ保持するように配置されている。なお、ＩＣタグ取り付け部２２０は、シンプルな構造でＩＣタグ１０を保持できるように、ＩＣタグ１０の少なくとも１組の対角部（頂点１１Ａ，１１Ｃ、或いは、頂点１１Ｂ，１１Ｄ）を保持するようにしてもよい。
ＩＣタグ取り付け部２２０は、図８に示すように、ＩＣタグ１０が平面（ＸＹ平面）方向を移動しないように規制するための平面形状がＬ字形のリブ２２１と、リブ２２１に設けられＩＣタグ１０を厚み方向（矢印Ｚ方向）から押さえつけるための爪部２２２とからなる部分である。
ＩＣタグ１０を取り付ける場合、作業者は、ＩＣタグ１０を図中上側から押さえつける（矢印Ｚ１方向参照）。これにより、ＩＣタグ１０が撓み、また、ＩＣタグ取り付け部２２０が外側（矢印θ４方向）に弾性変形することにより、爪部２２２の下側にＩＣタグ１０が入り込み、ＩＣタグ１０が装着される。一方、ＩＣタグ１０を取り外す場合にも、取り付けられたＩＣタグ１０を図中上側に持ち上げることにより、ＩＣタグ１０、ＩＣタグ取り付け部２２０が変形し、ＩＣタグ１０の取り外しが可能である（矢印Ｚ２方向参照）。
【００３０】
ここで、ＩＣタグ１０は、カード状の部材あり、例えば、ＰＥＴ（ポリエチレンテレフタレート）基材等から形成される。ＩＣタグ１０は、制御回路、記憶装置からなる集積回路（ＩＣ）と、アンテナとが内蔵されており、リーダ・ライタ（図示せず）が情報を乗せて送信した電波或いは磁界によりアンテナに電力が発生する。ＩＣタグ１０は、この電力を用いて、集積回路を動作させて記憶装置内の情報を読み出したり、アンテナからリーダ・ライタに、情報を乗せて返信することができる。本実施例のＩＣタグ１０は、記憶装置の情報を書き替え可能なタイプであり、収納する情報記憶媒体の内容に対応した情報（例えば、記録されているプログラム、映像等の名称、作成日時等）が記憶されている。また、いわゆる、アンチコリジョンタイプのＩＣタグを採用することにより、作業者は、複数の記憶媒体収納ボックスに収納された情報記憶媒体の内容を把握でき、これらの管理を容易にすることができる。
さらに、ＩＣタグ１０は、その表面に、加熱により書き替え可能な感熱記録部を設け、収納した情報記憶媒体の内容を記録させてもよい。これにより、作業者は、感熱記録部を視認することにより、蓋体２００を開けることなく収納した情報記憶媒体を確認することができる。
【００３１】
ＩＣタグ取り外し溝２３０は、図２、図６（ｂ）に示すように、ＩＣタグ１０を取り外しやすくするために、蓋体２００の表面２０２（収納ボックスの表面）を窪ませて設けられた溝である。図２に示すように、底面図において、ＩＣタグ取り外し溝２３０は、取り付けられたＩＣタグ１０の縁１２Ａ，１２Ｂと重複する範囲に設けられている。図６（ｂ）に示すように、ＩＣタグ取り外し溝２３０は、その深さＤ１が、例えば、０．５ｍｍ程度であり、蓋体２００の表面２０２とＩＣタグ１０との間に隙間を設ける。これにより、作業者は、この隙間に指、爪等を入れてＩＣタグ１０の裏面に引っ掛け、ＩＣタグ１０の取り外しを容易に行うことができ、作業性を向上することができる。
【００３２】
ＩＣタグ保護リブ２４０は、図２、図３に示すように、蓋体２００の表面２０２から突出するように設けられ、記憶媒体収納ボックス１と他の記憶媒体収納ボックスとが重ねられた状態において、ＩＣタグ１０と他の記憶媒体収納ボックスとの間に隙間を設けるためのＬ字形のリブである。ＩＣタグ保護リブ２４０は、蓋体２００の天面２０２の４隅付近に配置されている。
図２に示すように、ＩＣタグ保護リブ２４０は、その内寸Ｄ２，Ｄ３が、足１４０の外寸Ｄ４，Ｄ５よりも一回り大きく、図６（ｃ）に示すように、同形状の記憶媒体収納ボックス１Ｂが重ねられた場合、その内側に、記憶媒体収納ボックス１Ｂの足１４０Ｂが入りこむ。他のＩＣタグ保護リブ２４０も同様な状態である。これにより、ＩＣタグ保護リブ２４０、足１４０Ｂは、記憶媒体収納ボックス１，１Ｂを、平面方向に移動しないように規制し、輸送時等に滑って動かないように保持することができる。
【００３３】
また、ＩＣタグ保護リブ２４０は、上に重ねられた記憶媒体収納ボックス１Ｂの底面１０４Ｂに当接することにより、ＩＣタグ１０の表面と重ねられた記憶媒体収納ボックス１Ｂとの間に隙間Ｄ６を設けることができる。これにより、ＩＣタグ保護リブ２４０は、保管時、輸送時等のＩＣタグ１０の破損等を、防止することができる。
なお、本実施例では、ＩＣタグ保護リブ２４０が足１４０よりも高く設定されているが、足１４０がＩＣタグ保護リブ２４０よりも高い場合にも、同様な隙間Ｄ６を設けることができる。すなわち、記憶媒体収納ボックス１は、ＩＣタグ保護リブ２４０の代わりに足１４０を、ＩＣタグ保護部として用いてもよい。
【００３４】
次に、記憶媒体収納ボックス１が、映写フィルム、ＬＴＯ、ＣＭＴ、ＣＤを収納する状態について、詳しく説明する。
図９〜図１１は、本実施例の記憶媒体収納ボックス１が映写フィルム２１、ＬＴＯ２２、ＣＭＴ２３をそれぞれ収納した状態の平面図及び係合凸部１１０部の拡大図、図１２はＣＤ２４を収納した状態の平面図、図１３（ａ）〜図１３（ｃ）は、映写フィルム２１、ＬＴＯ２２、ＣＭＴ２３をそれぞれ収納した状態の断面図である。
【００３５】
図９に示すように、記憶媒体収納ボックス１は、映写フィルム２１を収納した状態において、映写フィルム２１が平面内を移動しないように規制するために、係合凸部１１０の段部１１１に設けられた計８つのリブ１１１ｃが、映写フィルム２１に係合する。
図１３（ａ）に示すように、記憶媒体収納ボックス１は、蓋体２００を閉じた状態において、段部１１１を形成するボックス本体１００の内側底面１１１ａと、蓋体２００の裏面２０３とが、映写フィルム２１を、その厚み方向（矢印Ｚ方向）から挟み込むようにして保持する。
記憶媒体収納ボックス１は、上記のように、映写フィルム２１を収納、保持可能なように、段部１１１の形状、蓋体２００の厚み等が設定されている。なお、映写フィルム２１の変形を防止するために、映写フィルム２１とリブ１１１ｃ等との間には、ある程度の隙間（例えば、０．５ｍｍ程度等）を設けてもよい。
【００３６】
図１０に示すように、記憶媒体収納ボックス１は、ＬＴＯ２２を収納した状態において、係合凸部１１０の段部１１２に設けられた計８つのリブ１１２ｃが、ＬＴＯ２２に係合する。
図１３（ｂ）に示すように、記憶媒体収納ボックス１は、ＬＴＯ２２を係合凸部１１０の天面１１２ａに載置し、また、蓋体２００を閉じた状態において、蓋体２００の裏面２０３がＬＴＯ２２を押さえることにより、天面１１２ａと裏面２０３とが、ＬＴＯ２２を挟み込むようにして保持する。
【００３７】
図１１に示すように、記憶媒体収納ボックス１は、ＣＭＴ２３を収納した状態において、係合凸部１１０の段部１１３に設けられた計８つのリブ１１３ｃが、ＣＭＴ２３に係合する。
図１３（ｃ）に示すように、記憶媒体収納ボックス１は、ＣＭＴ２３を係合凸部１１０の天面１１３ａに載置し、また、蓋体２００を閉じた状態において、蓋体２００の裏面２０３がＣＭＴ２３を押さえることにより、天面１１３ａと裏面２０３とが、ＣＭＴ２３を挟み込むようにして保持する。
【００３８】
図１２に示すように、記憶媒体収納ボックス１は、ＣＤ２４を収納した状態において、ＣＤ２４が図中上下方向（矢印Ｙ方向）に移動しないように、計８つのＣＤ載置リブ１２０の内側側面１２１ｂがＣＤ２４に係合し、また、ＣＤ２４が図中左右方向（矢印Ｘ方向）に移動しないように、ボックス本体１００の左右の側壁の内側側面１０５，１０６が、ＣＤ２４に係合する。これにより、ＣＤ２４は、平面（ＸＹ平面）内を移動しないように規制される。
図７（ａ）に示すように、記憶媒体収納ボックス１は、ＣＤ２４を、ＣＤ載置リブ１２０に設けられた段部１２１の天面１２１ａに載置し、また、蓋体２００を閉じた状態において、蓋体２００の裏面２０３がＣＤ２４を押さえ、天面１２１ａとの裏面２０３とが、ＣＤ２４を、挟み込むようにして保持する。
なお、前述のように、ＣＤ２４（専用ケース）は、大ケース、小ケースがあり、天面１２１ａの高さが、収容するケースの厚みに応じて設定されている。天面１２１ａの高さを大ケースの厚みに合わせて設定したときは、大ケースの厚み（ｔ１０ｍｍ）が小ケースの厚み（ｔ１０ｍｍ、ｔ５ｍｍ）の２倍なので、小ケースを２枚重ねて収容してもよい。
【００３９】
このように、係合凸部１１０、ＣＤ載置リブ１２０等（平面規制部）は、各情報記憶媒体が厚み方向（矢印Ｚ方向）に垂直な平面（ＸＹ平面）内を移動しないように規制するために、各情報記憶媒体に係合するように設けられたリブ１１１ｃ，１１２ｃ，１１３ｃ、内側側面１２１ｂ（平面係合部）を備えている。
一方、係合凸部１１０、ＣＤ載置リブ１２０、蓋体２００の裏面２０３からなる厚み方向規制部は、各情報記憶媒体が厚み方向に移動しないように規制する。すなわち、係合凸部１１０、ＣＤ載置リブ１２０からなる第１規制部は、各情報記憶媒体が、厚み方向のうちの１方向である矢印Ｚ１方向（第１方向）に移動しないように規制し、蓋体２００の裏面２０３である第２規制部は、各情報記憶媒体が、厚み方向のうち第１方向とは異なる方向である矢印Ｚ２方向（第２方向）に移動しないように規制する。
これにより、記憶媒体収納ボックス１は、収容した情報記憶媒体を保持し、例えば、輸送時等において情報記憶媒体が破損等をしないように保護することができる。
【００４０】
また、これらの規制部は、図１３に示すように、厚み方向規制部の第１規制部と第２規制部との距離Ｄ７〜Ｄ９（規制厚み）が小さくなる程、平面係合部がボックス本体の開口側（矢印Ｚ２方向）に配置される。つまり、情報記憶媒体の厚さが薄くなるに従って、平面係合部は、段階的に高い位置に配置される。
これにより、厚さが異なる映写フィルム２１、ＬＴＯ２２、ＣＭＴ２３、ＣＤ２４を収容することができる。
さらに、記憶媒体収納ボックス１は、映写フィルム２１、ＬＴＯ２２、ＣＭＴ２３に係合する段部１１１〜１１３を、係合凸部１１０に一体で設けているため、第１規制部及び平面係合部の構造を、シンプルにすることができる。
【００４１】
以上説明したように、本実施例の形状の記憶媒体収納ボックス１は、異なる複数の情報記憶媒体を、収納することができ、また、統一した収納ボックスを用いることにより、整理して保管することができる。さらに、情報記憶媒体の種類に応じて異なる収納ボックスを用意する必要がないので、コスト削減をすることができる。
また、記憶媒体収納ボックス１は、ＩＣタグ１０を取り付けて記憶媒体収納システムとして使用することにより、収納した情報記憶媒体を容易に把握することができる。
【図面の簡単な説明】
【００４２】
【図１】本発明を適用した記憶媒体収納ボックスの実施例の平面図である。
【図２】本実施例の記憶媒体収納ボックスの底面図である。
【図３】本実施例の記憶媒体収納ボックスの背面図、正面からの断面図である。
【図４】本実施例の記憶媒体収納ボックスの右側面図、左側面図である。
【図５】本実施例の係合凸部、ＣＤ載置リブを拡大して示す斜視図である。
【図６】本実施例の記憶媒体収納ボックスの蓋体を閉じた状態の左側面図、ＩＣタグ取り外し溝の断面図、記憶媒体収納ボックスを重ねた状態の一部断面図である。
【図７】本実施例の記憶媒体収納ボックスの蓋体を閉じた状態の正面からの断面図、蓋体を閉じる状態の正面からの一部断面図である。
【図８】本実施例のＩＣタグ取りつけ部を拡大して示す斜視図である。
【図９】本実施例の記憶媒体収納ボックスが映写フィルム収納した状態の平面図及び係合凸部の拡大図である。
【図１０】本実施例の記憶媒体収納ボックスが映写フィルムを収納した状態の平面図及び係合凸部の拡大図である。
【図１１】本実施例の記憶媒体収納ボックスがＬＴＯを収納した状態の平面図及び係合凸部の拡大図である。
【図１２】本実施例の記憶媒体収納ボックスがＣＤを収納した状態の平面図である。
【図１３】本実施例の記憶媒体収納ボックスが映写フィルム、ＬＴＯ、ＣＭＴを収納した状態の断面図である。
【符号の説明】
【００４３】
１，１Ｂ    記憶媒体収納ボックス
１０    ＩＣタグ
２１    映写フィルム
２２    ＬＴＯ
２３    ＣＭＴ
２４    ＣＤ
１００    ボックス本体
１１０    係合凸部
１１１，１１２，１１３    段部
１２０    ＣＤ載置リブ
１３０    ロック用凸部
１４０    足
１５０    ヒンジ
２００    蓋体
２１０    ベロ
２１１    ロック用孔
２２０    ＩＣタグ取り付け部
２３０    ＩＣタグ取り外し溝
２４０    ＩＣタグ保護リブ
【図１】
2008001413.tif 000003
【図２】
2008001413.tif 000004
【図３】
2008001413.tif 000005
【図４】
2008001413.tif 000006
【図５】
2008001413.tif 000007
【図６】
2008001413.tif 000008
【図７】
2008001413.tif 000009
【図８】
2008001413.tif 000010
【図９】
2008001413.tif 000011
【図１０】
2008001413.tif 000012
【図１１】
2008001413.tif 000013
【図１２】
2008001413.tif 000014
【図１３】
2008001413.tif 000015